(57)【要約】      （修正有）【課題】試験等の為に、複数の電池のタブと電気的に接続を行う電池のタブをチャック部材の間の適切な把持位置に案内するチャック装置の提供。【解決手段】チャック列２１，２２に含まれる個々のチャック２６，２７は、先端部が水平方向に沿って開閉動作する一対のチャック部材３２を備え、チャック部材３２の先端にカバー部材４０Ａ，４０Ｂが取付けら、カバー部材４０Ａ、４０Ｂの裏面にガイド部６０Ａ，６０Ｂが一体に形成されており、第１の段のチャック列２１のチャック２６と、第２の段のチャック列２２のチャック２７とは、複数の電池２に交互に対応する様に、水平方向に互いにオフセットして位置しており、第１の段のカバー部材４０Ａのガイド部６０Ａは第２の段のチャック部材３２の接続対象の正極タブを両側から案内し、第２の段のカバー部材４０Ｂのガイド部６０Ｂは第１の段のチャック部材３２の接続対象の正極タブを両側から案内するチャック装置。【選択図】図８
2018125228.tif 000002
【特許請求の範囲】
【請求項１】
電極タブが外装体から導出された偏平な電池を複数個配列してなる電池群に対し、各電極タブとの電気的な接続を一斉に行うチャック装置であって、
電極タブの幅の一部をそれぞれ把持するように、電池配列方向と直交するタブ幅方向の位置が異なる複数段のチャック列を備え、
これらのチャック列に含まれる個々のチャックは、先端部が電池配列方向に沿って開閉動作する一対のチャック部材を備え、
ある一つの電池の電極タブとこれに隣接する次の電池の電極タブとが、それぞれ異なる段のチャックの接続対象となるように、一つの段のチャックと他の段のチャックとが互いに電池配列方向にオフセットして位置しており、
チャック部材の開位置において、ある一つの段のチャック部材の接続対象となる電極タブを、他の段の２つのチャック部材が両側から案内するように、各チャック部材の背面にガイド部が設けられている、チャック装置。
【請求項２】
各々のチャック部材の先端に、電極タブと接触する凹凸を有する把持面を備えた金属チップが取り付けられており、上記ガイド部は、チャック部材の開位置において、上記タブ幅方向に沿って投影したときに、隣接する他の段のチャック部材に取り付けられた金属チップの把持面を覆う、ことを特徴とする請求項１に記載のチャック装置。
【請求項３】
一つの電極タブを両側から案内する２つのガイド部間の距離は、当該電極タブを把持する上記一対のチャック部材の開口幅より小さい、ことを特徴とする請求項１又は２に記載のチャック装置。
【請求項４】
上記一対のチャック部材の略中央に電極タブを案内するように、上記ガイド部は先端部から後端部に向けて傾斜した傾斜面を有する、ことを特徴とする請求項１〜３のいずれかに記載のチャック装置。
【請求項５】
上記一対のチャック部材の先端に合成樹脂製のカバー部材がそれぞれ取り付けられ、上記カバー部材の背面に上記ガイド部が一体に形成されている、ことを特徴とする請求項１〜４のいずれかに記載のチャック装置。
【請求項６】
上記一対のチャック部材の先端に合成樹脂製のカバー部材がそれぞれ取り付けられ、上記カバー部材の背面に上記ガイド部が一体に形成されており、
各々のカバー部材は、電極タブを把持する側において、接続対象の電極タブを案内するように上記カバー部材の先端部から後端部に向けて傾斜したガイド面をさらに有し、上記電極タブの挿入方向に平行な仮想平面を中心として、上記ガイド部の傾斜面の角度は上記ガイド面の角度よりも大きい、ことを特徴とする請求項４に記載のチャック装置。
【請求項７】
各電池の一方の端部に設けられた一対の電極タブにそれぞれ複数段のチャック列が対向するように配置されている、ことを特徴とする請求項１〜６のいずれかに記載のチャック装置。
【発明の詳細な説明】
【技術分野】
【０００１】
本発明は、試験等のために複数の電池の電極タブと電気的な接続を行うチャック装置に関する。
【背景技術】
【０００２】
特許文献１には、薄型二次電池の充放電試験装置に用いるチャック装置が開示されている。チャック装置は、マガジン内に並列に配置された複数の二次電池に対向して配置されており、垂直方向の高さ位置の異なる４段のチャック列を備えている。各々の段のチャック列は、各々の電池の電極タブをそれぞれ把持する複数のチャックを備えている。複数の電池の電極タブを交互に把持するように、第１の段のチャックと第２の段のチャックとは、水平方向に互いにオフセットして位置しており、同様に、第３の段のチャックと第４の段のチャックとが水平方向に互いにオフセットして位置している。各々のチャックは、先端側が開閉する一対のチャック部材を有しており、チャック部材の先端には、金属チップを収容した合成樹脂製の把持部材が取り付けられている。この把持部材の電極タブに面する内側面に、接続対象の電極タブを一対のチャック部材の間に案内するように傾斜したガイド面がそれぞれ形成されている。
【先行技術文献】
【特許文献】
【０００３】
【特許文献１】特開２０１４−１０２８８３号公報
【発明の概要】
【発明が解決しようとする課題】
【０００４】
しかし、上記の構成では、電極タブが一対のガイド面の間の中央に正しく位置していないと、電極タブをチャック部材の間に挿入する際に、電極タブの先端が金属チップに干渉し、円滑に案内されないことがある。このため、電極タブと金属チップとの間の接続不良や電極タブの折れ曲がりが生じる、という問題があった。
【課題を解決するための手段】
【０００５】
本発明におけるチャック装置は、複数配列された電池にそれぞれ設けられた電極タブの幅の一部をそれぞれ把持する複数段のチャック列を備えている。これらのチャック列に含まれる個々のチャックは一対のチャック部材を備える。一つの段のチャックと他の段のチャックとは互いに電池配列方向にオフセットして位置しており、ある一つの段のチャック部材の接続対象となる電極タブを、他の段の２つのチャック部材が両側から案内するように、各チャック部材の背面にガイド部が設けられている。
【０００６】
このような構成では、ある一つの段に配置されたチャック部材の接続対象となる電極タブが、他の段に配置された２つのチャック部材にそれぞれ設けられたガイド部によって両側からガイドされ、上記一つの段におけるチャック部材の間の適切な把持位置へと案内される。
【発明の効果】
【０００７】
本発明によれば、電極タブの挿入時に、電極タブをチャック部材の間における適切な把持位置に確実に案内することができ、チャック部材によって電極タブを確実に把持することができる。従って、電極タブとの接続不良や電極タブの折れ曲がりの発生を回避することができる。
【図面の簡単な説明】
【０００８】
【図１】一実施例のチャック装置の要部を示す斜視図。
【図２】電池の斜視図。
【図３】複数の電池に対向して配置されたチャック装置の要部を示す平面図。
【図４】チャック装置の一部分を示す正面図。
【図５】カバー部材を備えたチャック部材の斜視図。
【図６】カバー部材の平面図。
【図７】第１の段のチャック列及び第２の段のチャック列を垂直方向に沿って投影した図。
【図８】第１の段のチャック列及び第２の段のチャック列の投影図であって、正極タブがチャック部材の間に挿入される前の状態を示す図。
【図９】１つの正極タブがガイド部によって案内されている状態を示す投影図。
【図１０】チャック部材の間に正極タブが挿入されている状態を示す投影図。
【図１１】チャック部材が正極タブを把持している状態を示す投影図。
【発明を実施するための形態】
【０００９】
以下、図面を参照しながら本発明の一実施例について説明する。
【００１０】
図１は本発明の一実施例のチャック装置１の要部を示す斜視図である。この実施例のチャック装置１は、例えば、図２に示すリチウムイオン二次電池等の電池２の正極タブ３及び負極タブ４との電気的な接続を一斉に行うための装置であり、例えば、電池２の充放電試験に用いられる。
【００１１】
ここで、以下の説明においては、理解を容易にするために、チャック装置１全体の長手方向である図１のＸ方向を「水平方向」、タブ３，４の挿入方向となるＹ方向を「前後方向」、チャック装置１の上下方向であるＺ方向を「垂直方向」とそれぞれ定義する。なお、「水平方向」及び「垂直方向」は、特許請求の範囲における「電池配列方向」及び「タブ幅方向」にそれぞれ相当する。また、図１の姿勢を基準として、「上下」、「左右」等の用語を用いることとする。
【００１２】
図２に示すように、電池２は、偏平な外装体６を備えており、この外装体６の一方の端部７から正極タブ３及び負極タブ４が外部にそれぞれ導出されている。電池２は、正極タブ３が上方に位置し、負極タブ４が下方に位置するように垂直方向に立ち上がった姿勢で図示せぬマガジン内に収納されている。本実施例では、マガジン内に３２個の電池２が収容されており、これらの電池２は電池２の厚さ方向に沿って等間隔に配置されている。図３に示すように、マガジン内に収容された３２個の電池群の正極タブ３及び負極タブ４に対向してチャック装置１が配置される。なお、図３は、チャック装置１を上方から見たものとして、上方に位置する正極タブ３のみを示しており、また各電池２の符番「２」に付した１〜３２の添字は、図３の左側から数えた電池２の順番を表している。
【００１３】
チャック装置１は、図１，図４に示すように、垂直方向の高さ位置が異なる４段のチャック列２１，２２，２３，２４を備えている。４段のチャック列２１〜２４のうち、最上段に位置する第１の段のチャック列２１と、その下方に位置する第２の段のチャック列２２は、各電池２の正極タブ３に対応している。具体的には、第１の段のチャック列２１は、正極タブ３の上半部を把持し得る高さ位置に配置されており、第２の段のチャック列２２は、正極タブ３の下半部を把持し得る高さ位置に配置されている。第２の段のチャック列２２の下方に位置する第３の段のチャック列２３と、その下方に位置する第４の段のチャック列２４は、各電池２の負極タブ４に対応している。具体的には、第３の段のチャック列２３は、負極タブ４の上半部を把持し得る高さ位置に配置されており、第４の段のチャック列２４は、負極タブ４の下半部を把持し得る高さ位置に配置されている。
【００１４】
本実施例では、各段のチャック列２１〜２４は、タブ３，４をそれぞれ把持する１６個のチャック２６，２７，２８，２９を含んでいる。これら１６個のチャック２６〜２９は、ピッチＰでもって、電池２の配列方向となる水平方向に沿って等間隔に配列されている。
【００１５】
ここで、図４に示すように、第１の段のチャック列２１の個々のチャック２６と、第３の段におけるチャック列２３の個々のチャック２８とは、互いに垂直方向に整列している。同様に、第２の段のチャック列２２の個々のチャック２７と、第４の段のチャック列２４の個々のチャック２９とは、互いに垂直方向に整列している。
【００１６】
一方、第１の段のチャック２６と、第２の段のチャック２７とは、３２個の電池２の正極タブ３を交互に把持するように、半ピッチ（Ｐ／２）ずつずれて配置されている。換言すれば、第１の段のチャック２６と、第２の段のチャック２７とは、水平方向に互いに半ピッチ（Ｐ／２）だけオフセットして位置している。図３に示すように、第１の段のチャック２６は、１番目から３２番目までの３２個の電池２のうち奇数番目の１６個の電池２1,3,5,...31の正極タブ３の上半部を把持し、第２の段のチャック２７は、偶数番目の１６個の電池２2,4,6,...32の正極タブ３の下半部を把持する。
【００１７】
同様に、第３の段のチャック２８と、第４の段のチャック２９とは、３２個の電池２の負極タブ４を交互に把持するように、水平方向に互いに半ピッチ（Ｐ／２）だけオフセットして位置している（図４参照）。第３の段のチャック２８は奇数番目の１６個の電池２1,3,5,...31の負極タブ４の上半部を把持し、第４の段のチャック２９は偶数番目の１６個の電池２2,4,6,...32の負極タブ４の下半部を把持する（図３参照）。
【００１８】
各々のチャック２６〜２９は、同一の構成であり、図５に示すように、先端部が水平方向に沿って開閉動作する一対のチャック部材３２からなる。一対のチャック部材３２は、互いに対称の形状を有しており、細長い金属板からそれぞれ構成されている。チャック部材３２の先端側部分３４は、先細りのテーパ状をなしており、チャック部材３２の長手方向に沿った外側の側縁３５が直線をなすように延びている。後端側部分３６は、中央部３３からそれぞれ外側へ拡がるように斜め後方へと先細りのテーパ状に延びている。一対のチャック部材３２は、中央部３３が互いに重ね合わされ、軸３１によって開閉可能に軸支されている。一対のチャック部材３２を重ね合わせた状態では、２つの後端側部分３６の間にＶ字状の間隙３７が形成される。この間隙３７内に、チャック部材３２を開閉するための図示せぬ開閉ピンが配置される。一対のチャック部材３２は、開閉ピンにより間隙３７が拡大したときに、２つの先端側部分３４の間隔が小さくなるように互いに連結されている。上記の開閉ピンは、全ての段におけるチャック２６〜２９が一斉に開閉するように図示せぬ開閉機構に連結されている。
【００１９】
図５，図６に示すように、チャック部材３２の先端側部分３４の先端部にはカバー部材４０がそれぞれ取り付けられている。左右のカバー部材４０は、チャック２６〜２９の開閉動作に伴って互いに近接・離間する。左右のカバー部材４０は同一の部品からなり、上下反転した形で対称に取り付けてある。各々のカバー部材４０は、合成樹脂から形成され、側面視において略Ｔ字形をなしている。カバー部材４０は、タブ３，４を把持する側となる把持部４１と、把持部４１の中央部分から後方へ突出し、チャック部材３２に対する取付側となる取付部４２と、を有している。把持部４１は、垂直方向（つまりタブ幅方向）に長く延びたブロック状をなし、１つのタブ３，４の上半部又は下半部に対応する大きさを有している（図４参照）。取付部４２の後端面３９に形成された図示せぬ挿入孔にチャック部材３２の先端部が挿入されており、このチャック部材３２の先端部に対してカバー部材４０がネジ４３によって固定されている。
【００２０】
把持部４１は、接続対象となるタブ３，４に面する内側面に、この接続対象のタブ３，４を一対のチャック部材３２の間に案内する内側ガイド面４４を有している。内側ガイド面４４は、把持部４１の垂直方向に沿った全高に亘っており、一対の内側ガイド面４４の間の間隔が徐々に狭まるように、先端部から後端部へ向かって所定の角度で傾斜した直線状の傾斜面からなる。具体的には、図６に示すように、タブ３，４の挿入方向に平行な仮想平面Ａ（つまり前後方向に沿った平面）に対し、角度αの傾斜角を有している。さらに、この傾斜した内側ガイド面４４の終端に連続して、金属チップ５０をそれぞれ収容した一対の矩形の凹部４７が形成されている。一方の凹部４７は、把持部４１の上端部に設けられており、他方の凹部４７は、把持部４１の下端部に設けられている。
【００２１】
凹部４７内にそれぞれ収容された矩形の金属チップ５０は、タブ３，４を把持する把持面５２を備えており、この把持面５２には、タブ３，４の表面に形成された皮膜を剥離して良好な電気的導通を得るように、微小な凹凸５３が多数形成されている。一対の金属チップ５０は、把持部４１の一対の凹部４７の間に残存する樹脂部分によって互いに絶縁されている（図５）。金属チップ５０の裏面には短冊状の導電性の板ばね５５がそれぞれ取り付けられており、板ばね５５の後端側に位置する接続孔５７を介して、図示せぬコードが接続されるようになっている。板ばね５５は金属チップ５０とともにネジ５６によってカバー部材４０に取り付けられている。なお、対向する２つのカバー部材４０の上部に位置する一対の金属チップ５０の板ばね５５同士が互いに接続され、かつ同様に、カバー部材４０の下部に位置する一対の板ばね５５同士が互いに接続されており、それぞれが異なる信号ラインとなる図示せぬコードに接続されている。
【００２２】
ここで、図６に示すように、互いに対向する金属チップ５０の把持面５２（凹凸面）は、内側ガイド面４４の終端における水平方向の位置よりも僅かに内側（水平方向に沿った内側）に突出している。従って、チャック２６〜２９が開いている状態において、一対の金属チップ５０の把持面５２の間の距離Ｄ２が、一対のチャック部材３２の間の実質的な開口幅となる。
【００２３】
一方、カバー部材４０の背面つまり把持部４１の裏面には、把持対象となる電池２の隣に位置する電池のタブ３，４を案内するためのガイド部６０が一体に形成されている。ガイド部６０は、把持部４１の垂直方向の全高に亘っており、斜め外側を向くように先端部から後端部へ向かって傾斜した直線状の傾斜面６２を有している。具体的には、図６に示すように、傾斜面６２は、タブ３，４の挿入方向に平行な仮想平面Ａ（つまり前後方向に沿った平面）に対し、角度βの傾斜角を有している。この傾斜角度βは、前述した内側ガイド面４４の傾斜角度αよりも大きく設定されている。このようにそれぞれ直線的に傾斜した内側ガイド面４４と傾斜面６２とは、カバー部材４０の先端において互いに交わっており、これによって断面三角形状の鋭利な先端部４５が形成されている。また、ガイド部６０は、傾斜面６２の後方に連続して、逆方向に傾斜した第２の傾斜面６５を備えており、両者の境界に、ガイド部６０の頂部６４が形成されている。この頂部６４は、図６に示すように仮想平面Ａを先端部４５を通る位置に描いたときに、該仮想平面Ａから最も離れた点となる。
【００２４】
図７は、正極タブ３に対応する第１の段のチャック列２１及び第２の段のチャック列２２を垂直方向に沿って投影して示した図である。また、図８〜図１１は、これらのチャック列２１，２２に正極タブ３が挿入されるときの様子を時系列に示している。以下の説明ならびに図７〜図１１においては、第１の段のチャック列２１におけるカバー部材４０及びガイド部６０を「カバー部材４０Ａ」及び「ガイド部６０Ａ」とし、第２の段のチャック列２２におけるカバー部材４０を「カバー部材４０Ｂ」及び「ガイド部６０Ｂ」として、互いに区別することとする。なお、前述したように第１の段の各チャック２６と第２の段の各チャック２７とは半ピッチ（Ｐ／２）ずつずれて配置されているので、チャック２６，２７が開いている状態（図７〜図１０）においては、第２の段のチャック列２２のカバー部材４０Ｂは、第１の段のチャック列２１のカバー部材４０Ａによって大部分が覆われている。
【００２５】
図７に示すように、チャック部材３２が開いている状態において、第１の段のチャック列２１のある一つのチャック２６に着目すると、接続対象となる正極タブ３が前後方向へ沿って挿入可能なように、一対の金属チップ５０の把持面５２の間に、開口幅となる距離Ｄ２が確保されている。ここで、当該チャック２６の左側のカバー部材４０Ａの下方には、接続対象となる電池２の左側に隣接した電池２の正極タブ３を把持対象として、第２の段のチャック２７の右側のカバー部材４０Ｂが位置している。同様に、当該チャック２６の右側のカバー部材４０Ａの下方には、接続対象となる電池２の右側に隣接した電池２の正極タブ３を把持対象として、第２の段のチャック２７の左側のカバー部材４０Ｂが位置している。
【００２６】
第２の段におけるこれら２つのカバー部材４０Ｂ，４０Ｂは、各々のガイド部６０Ｂ同士が互いに対向した配置となり、２つの頂部６４の間には、金属チップ５０間の距離Ｄ２よりも短い開口幅Ｄ１の開口７６が構成されている。また、これら２つのカバー部材４０Ｂ，４０Ｂの先端部４５の間には、金属チップ５０の間の距離Ｄ２よりも長い入口開口幅Ｄ３が確保されている。また、互いに垂直方向に重なり合う第１の段のカバー部材４０Ａと第２の段のカバー部材４０Ｂとを垂直方向に投影してみたときに、第１の段のカバー部材４０Ａの内側ガイド面４４及び金属チップ５０の把持面５２が、第２の段のガイド部６０Ｂの投影面内に位置している。換言すれば、垂直方向に投影してみたときに、第２の段のガイド部６０Ｂは、第１の段のカバー部材４０Ａの内側ガイド面４４及び金属チップ５０の把持面５２よりも左右方向内側へ張り出しており、把持面５２を覆っている。
【００２７】
なお、図示するように、垂直方向に投影してみたときに、第１の段のカバー部材４０Ａの先端部４５の位置と、第２の段のカバー部材４０Ｂの先端部４５の位置とは、互いに合致している。従って、前述したように、傾斜面６２の傾斜角度βを内側ガイド面４４の傾斜角度αよりも大きく設定することで、第２の段のガイド部６０Ｂの傾斜面６２が第１の段の内側ガイド面４４よりも内側へ張り出したものとなる。
【００２８】
以上の関係は、第２の段のチャック列２２の任意の一つのチャック２７に着目してみても全く同様であり、当該チャック２７が把持対象とする正極タブ３に対して、正極タブ３の左側及び右側に第１の段のチャック列２１の２つのカバー部材４０Ａ，４０Ａがそれぞれ位置する。そして、これら２つのカバー部材４０Ａの頂部６４の間に、金属チップ５０間の距離Ｄ２よりも短い開口幅Ｄ１の開口７８が構成され、かつ先端部４５の間には、金属チップ５０間の距離Ｄ２よりも長い入口開口幅Ｄ３が確保される。
【００２９】
図８は、上述したチャック装置１に、マガジンに収容された計３２個の電池２を対向配置した状態を示している。この状態から両者が前後方向に相対的に接近することで、正極タブ３がチャック２６，２７内に挿入される。図８の段階では、各チャック２６，２７のチャック部材３２は全て開いている。図中、任意のｎ番目の電池２の正極タブ３を、添字ｎを付して正極タブ３nとして表している。この例では、正極タブ３n及び正極タブ３n+2は、第１の段のチャック２６の接続対象であり、正極タブ３n+1及び正極タブ３n+3は、第２の段のチャック２７の接続対象である。また、正極タブ３n+2は、説明のために、僅かに折れ曲がったものとして示してある。
【００３０】
図９では、正極タブ３の先端が各チャック２６，２７のカバー部材４０に到達した状態を示している。このとき、第１の段のチャック２６が把持対象とする正極タブ３は、第２の段の一対のガイド部６０Ｂに沿って両者が構成する開口７６の中へと案内される。一対の頂部６４が構成する開口７６の開口幅Ｄ１は、一対の金属チップ５０の把持面５２の間の距離Ｄ２よりも短いので、正極タブ３は、把持面５２の間の略中央に確実に案内される。なお、図４に示すように、上半部が第１の段のチャック２６によって把持される正極タブ３は、下半部が第２の段のガイド部６０によって所定位置に案内されることとなる。
【００３１】
正極タブ３n+2として例示するように多少折れ曲がっている正極タブ３の場合、正極タブ３の先端が第２の段のガイド部６０Ｂの傾斜面６２に接触する。そして、図９の状態から図１０に示す状態へと、正極タブ３の先端が傾斜面６２に沿って案内されながら、第１の段のチャック２６の中へと進んでいく。このとき、垂直方向に投影してみてガイド部６０Ｂの傾斜面６２が第１の段のチャック２６の内側ガイド面４４や金属チップ５０よりも内側に張り出しているので、正極タブ３の先端が金属チップ５０の把持面５２の凹凸５３に引っ掛かるようなことがなく、開口７６の内側へと円滑に案内される。すなわち、正極タブ３が多少折れ曲がっていても、初期の先端の位置が一対のガイド部６０の先端部４５による入口開口幅Ｄ３（図７参照）の中にあれば、正極タブ３は確実に開口７６の内側に案内され、最終的に、図１０に示すように、第１の段のチャック２６の金属チップ５０の間に挿入されることとなる。
【００３２】
また、第２の段のチャック２７が把持対象とする正極タブ３についても全く同様であり、前後方向に沿った挿入に伴って、第１の段のチャック２６の一対のガイド部６０Ａが構成する開口７８の中へと正極タブ３が案内される結果、第２の段のチャック２７の金属チップ５０の間に確実に挿入される。
【００３３】
図１１は、各正極タブ３の挿入完了後にチャック２６，２７を一斉に閉じることにより、各チャック２６，２７が正極タブ３を把持した状態を示している。上記のように正極タブ３の先端の位置が水平方向に多少変位している場合でも、ガイド部６０の案内によって確実な挿入ひいては把持が可能となる。そのため、挿入時の正極タブ３の折れ曲がりやマガジン内での電池２の位置ズレあるいはチャック２６，２７との接続不良などが生じることがない。
【００３４】
以上、正極タブ３に関して第１の段のチャック２６と第２の段のチャック２７との関係について説明したが、負極タブ４に関する第３の段のチャック２８と第４の段のチャック２９についても同様であるので、その詳細な説明は省略する。
【００３５】
なお、チャック装置１は、図１に示すように、チャック装置１の水平方向の両端部において、最も外側に配列された電池２のタブ３，４をそれぞれ案内する４つの外側ガイド部材７０を有している。この外側ガイド部材７０は、カバー部材４０のガイド部６０と異なり、開閉動作しない固定式のガイド部材である。各々の外側ガイド部材７０は、各段のチャック列２１〜２４の最も外側に位置するカバー部材４０のガイド部６０と対をなすように構成され、図７に示すように、ガイド部６０の傾斜面６２とほぼ対称形状をなす傾斜面７２を有している。
【００３６】
以上、この発明の一実施例を説明したが、本発明は上記実施例に限られず、種々の変更が可能である。
【００３７】
上記実施例では、チャック装置１は、１つのタブ３，４に対して２段のチャック列２１〜２４を有しているが、本発明はこれに限定されず、他の段数、例えば３段のチャック列を有していてもよい。
【００３８】
上記実施例では、電池２の一方の端部７から正極タブ３及び負極タブ４の双方を導出してなる電池２を例にして本発明のチャック装置１を説明したが、電池２の一方の端部から正極タブ３を導出し、他方の端部から負極タブ４を導出してなる電池２であっても本発明を適用することができる。この場合、２セットのチャック装置１を使用して、各々のタブ３，４に対向するように電池２の両端部側にそれぞれチャック装置１を配置する。
【符号の説明】
【００３９】
１  チャック装置
２  電池
３  正極タブ
４  負極タブ
２１，２２，２３，２４  チャック列
２６，２７，２８，２９  チャック
３２  チャック部材
４０  カバー部材
５０  金属チップ
５２  把持面
６０  ガイド部
【図１】
2018125228.tif 000003
【図２】
2018125228.tif 000004
【図３】
2018125228.tif 000005
【図４】
2018125228.tif 000006
【図５】
2018125228.tif 000007
【図６】
2018125228.tif 000008
【図７】
2018125228.tif 000009
【図８】
2018125228.tif 000010
【図９】
2018125228.tif 000011
【図１０】
2018125228.tif 000012
【図１１】
2018125228.tif 000013